(57)【要約】      （修正有）【課題】人体の必要箇所に簡単に位置づけて設置でき、かつ着用者の姿勢によらずに熱媒体からの熱が人体に効果的に影響を与える安全チョッキを提供する。【解決手段】再帰反射ベルト２ａ、２ｂは、左右の前身頃に分かれたメッシュ地の基材に対して左右の肩口から臍に相当する部分までに配されている。再帰反射ベルト２ａ、２ｂの臍に相当する部分の裏側には面ファスナが設けられており、左右前身頃をこの面ファスナで接続することにより、安全チッョキ前身頃側に反射ベルトのＶ字状が描かれる。再帰反射ベルト２ａ、２ｂの裏側であって、鎖骨に相当する部分及び、後身頃側の左右の肩甲骨に相当する部分には熱媒体を収納する収納部３が設けられる。【選択図】図１
0003145435.tif 000002
【実用新案登録請求の範囲】
【請求項１】
左右の前身頃に分かれたメッシュ生地の基材に対して左右の肩口から臍に相当する部分までに反射ベルトを配し、当該臍に相当する部分の前記反射ベルト裏側に面ファスナを設けて、左右前身頃を当該面ファスナで接続することにより、前身頃に反射ベルトがＶ字状を描く安全チッョキであって、前記夫々の反射ベルトを裏側であって鎖骨に相当する部分に熱媒体を収納する収納部を設け、かつ安全チッョキの後身頃側の左右の肩甲骨に相当する部分に熱媒体を収納する収納部を設けたことを特徴とする安全チョッキ。
【考案の詳細な説明】
【技術分野】
【０００１】
本考案は、保冷剤、保温剤などの熱媒体を装着した反射式安全チョッキに関するものである。
【背景技術】
【０００２】
熱媒体を上着に熱媒体を収納する収納部を設けたものが例えば特許文献１により知られている。この上着においては、後身頃の裏地であって、左右の肩甲骨の間の窪みに熱媒体が収まるように配置して、熱媒体が収容されていることを視認しづらくして外観からの美観を保っている。
【０００３】
一方、上着の内側に着用されるチョッキの背部において、内側部と外側部を挟んで保冷剤、保温剤を収納する収納部を設けたものが例えば特許文献２により知られている。チョッキは人体の肌に近いところに位置するため、保温剤がごつごつしたり、また人体への密着性が高いと不快感を与えたりするものであるので、収納部の内側部には通気性の高い通気材を用いて形成している。
【特許文献１】特許文献１：実登録３０８８３５１号公報
【特許文献２】特許文献２：特開２００２−３１７３１４号公報
【特許文献３】特許文献３：特開２００２−２１２８１５号公報
【考案の開示】
【考案が解決しようとする課題】
【０００４】
一方、チョッキ形状をしている反面、上着の上に着用するチョッキがある。道路工事現場や交通取締り現場に於いて働く交通誘導員、現場作業員、交通取締り警官などが、制服或いは作業服の上から着用している反射式安全チョッキである。このチョッキは、その機能から、上着の上から着用し最も人体の外側に常に露出状態となるものであり、外気の影響を直接受けるため、これに保冷剤、保温剤を持たせた公知の例は無い。安全チョッキはユニバーサルサイズであり、どのような体型の人間に対しても同じであって、かつ安価に提供されている。本願考案者らはこれに熱源を保持させることを発想した。本考案は、安全チョッキに熱媒体を持たせた場合に、人体の必要箇所に簡単に位置づけて設置でき、かつ着用者の姿勢によらずに熱媒体からの熱が人体に効果的に影響を与えられることを目的とする。
【課題を解決するための手段】
【０００５】
安全チョッキは最も人体の外側に位置し、熱媒体の取付け位置によっては、熱媒体が肩からぶら下がって浮いている状態となって、熱媒体からの熱を人体に伝えにくいものとなる。
【０００６】
従って、本考案では、左右の前身頃に分かれたメッシュ生地の基材に対して左右の肩口から臍に相当する部分までに反射ベルトを配し、当該臍に相当する部分の前記反射ベルト裏側に面ファスナを設けて、左右前身頃を当該面ファスナで接続することにより、前身頃に反射プレートのＶ字状を描く安全チッョキであって、前記夫々の反射ベルトを裏側であって鎖骨に相当する部分に熱媒体を収納する収納部を設け、かつ安全チッョキの後身頃側の左右の肩甲骨に相当する部分に熱媒体を収納する収納部を設けたことを特徴とする。
【考案を実施するための最良の形態】
【０００７】
本考案の反射式安全チョッキについて、以下実施例に基づいて説明する。
図１に示すように安全チョッキ１は、メッシュ生地をチョッキ形状に形成したメッシュ基材10と再帰反射ベルト２ａ、２ｂ、２ｃ及び４（図３）を有している。チョッキ形状とは、前身頃の左右前身頃10ａ、１０ｂが、前襟ぐり線１１と前袖ぐり線１２と腰周りの線１３とを結んだ形状であり（図１）、後身頃が後襟ぐり線１４、後袖ぐり線１５、腰周り線１６で囲まれた形状であり（図３）、左右の前身頃とを肩線１４ａで連結し、前後袖ぐり線１２、１５部分においては、腰周り付近を除いて非連結であるような形状である。
【０００８】
再帰反射ベルトは、再帰反射板を帯状としたものであって、メッシュ基材１０に縫い付けられている。安全チョッキ１の前身頃側においては、前身頃が左右に分かれ夫々に再帰反射ベルト２ａ、２ｂが前襟ぐり１１に沿って取り付けられており、左右前身頃１０ａ、１０ｂを合わせたときに再帰反射ベルト２ａ、２ｂによりＶ字が描かれるようになっている。再帰反射ベルト２ａ、２ｂの最下部（臍に相当する部分、Ｖ字の頂点位置）において、フック状とパイル状の二枚を噛み合せて着脱自在にする面ファスナ５ａ、５ｂが、夫々相対するようにメッシュ基材１０及び再帰反射ベルト２ａ、２ｂを通して左右前身頃１０ａ、１０ｂに縫い付けられており、これにより左右前身頃１０ａ、１０ｂが接続される。再帰反射ベルト２ａ、２ｂの最下部から左右腰周り方向に沿って、再帰反射ベルト２ｃ、２ｃが夫々メッシュ基材１０に取り付けられている。一方、安全チョッキ１の後身頃側１０ｃにおいては、図３に示すように、再帰反射ベルト２ａ、２ｂが前身頃側から延在してＶ字状に取り付けられ背中側の腰周りに至っている。また、後身頃のメッシュ基材１０ｃには腰周りに相当する位置に再帰反射ベルト４が取り付けられている。後身頃の腰脇に相当する部分と、前身頃側のメッシュ基材脇部とには、面ファスナ６ａ、６ｂが設けられている（図２）。面ファスナ６ａ、６ｂを連結することにより、再帰反射ベルト２ｃ、２ｃと再帰反射ベルト４とが繋がって、腰回りを一周する。再帰反射ベルト２ａ、２ｂは、前身頃側の再帰反射ベルト２ｃ、２ｃから後身頃側の再帰反射ベルト４まで、夫々が肩を通って連続したベルトとなっている。
【０００９】
図４において、安全チョッキ１の後身頃側メッシュ基材１０ｃには、通気部３ａと保温部３ｂからなる正面視略四角形の収納部３が夫々設けられている。収納部３の取付け位置は、安全チョッキ１を着用した際に、肩甲骨ｋに当たる位置である。収納部３は、通気部３ａと保温部３ｂを両側面及び底面で結合させて袋状に形成したものであって、通気部３ａ及び保温部３ｂの上中央部には面ファスナ３ｃ（図１）を設け、市販の温湿布材や冷湿布材等の熱媒体７を出入可能としている。収納部３の取付け位置は、さらに再帰反射ベルト２ａ、２ｂの裏側に相当する位置にも相当している（図４）。
【００１０】
図２に示すように、前身頃側１０a、ｂと後身頃１０ｃを連結する面ファスナ６ａ、ｂは、腰周り方向に面積を持っており、連結位置を変えることにより、体格に合わせてウエストを調節可能である。安全チョッキ１の前身頃側１０ａ、ｂにも、通気部３ａと保温部３ｂからなる正面視略四角形の収納部３が夫々設けられている。収納部３の取付け位置は、安全チョッキ１を着用した際に、首の直ぐ脇の鎖骨Ｓに当たる位置であって、再帰反射ベルト２ａ、２ｂの裏側に相当する位置である（図４）。尚、本実施例においては、心臓に当る部分を冷やすことは望ましくないので、その部分を回避するように収納部３が設けられている。
【００１１】
また、前身頃側１０ａ、１０ｂの収納部３と後身頃側１０ｃの収納部３は、同一の寸法となっており、同一形状の熱媒体７を収容できるようになっている。従って、収容部３から取り外して冷凍庫にて冷却する際に、熱媒体７と収納部３との対応付けておく必要はない。同型の熱媒体７を使用できるため、夫々安全チッョキ１に取付けられた際には、前身頃側１０ａ、１０ｂと後身頃側１０ｃとで重量がバランスされ安定すると供に、鎖骨Ｓ或いは肩甲骨ｋの位置を上から包みこむような着用感が得られる。
【００１２】
次に、安全チョッキ１の作用について説明する。安全チョッキ１を着用する際、図５のように、前身頃側１０ａ、１０ｂの再帰反射ベルト２ａ、２ｂの最下部を左右の手により図中イのように下側引っ張るようにして、肩甲骨、鎖骨に相当する位置に配置された収納部３を、夫々肩甲骨、鎖骨に押し当てる（矢印ロ、ハ）。位置が整ったときに再帰反射ベルト２ａ、２ｂの面ファスナ５ａ、５ｂを合わせて結合させる（矢印ニ）。これにより、収納部３を正しい位置に位置付けることができる。収納部３が設けられる鎖骨Ｓ或いは肩甲骨ｋの位置は、人体において突出した位置であり、安全チョッキ１が作業着あるいは制服等の上着の上から着用された際においても、空間を挟まずに上着を通して人体に緊密に熱を伝えることができる。また、再帰反射ベルト２ａ、２ｂは再帰メッシュ基材１０に比べて伸縮しにくく、反射ベルト２ａ、２ｂの設置位置において安全チョッキ１を構造的に強化しており、かつ面ファスナ５ａ、５ｂは再帰反射ベルト２ａ、２ｂに固定されているため、裏側に設けられる収納部３は安定的に人体に固定される。
【００１３】
収納部３の人体側にある通気部３ａは、メッシュ状に形成されているため、作業服が薄い場合でも密着面が減少して、過度な密着による不快感は無く利用できるようになる。収納部３の外側にある保温部２ｂは、保温性の高いウレタン芯材であり、熱媒体７の熱交換作用が人体以外の外部に対して働くことを防止する。また、熱媒体７の位置は、再帰反射ベルト２ａ、２ｂの裏側としたため、メッシュ基材の部分に設置した場合と比較すると、外観上熱媒体７を着用していることを認識させない。
【００１４】
本実施例においては、再帰反射板を用いたが、蛍光反射式のものでも良いことは明らかである。本実施例においては、後身頃側では再帰反射ベルト２ａ、２ｂがＶ字状となっているが、クロスしたＸ字状或いは、クロスしないでII字状となっても良い。
【図面の簡単な説明】
【００１５】
【図１】安全チョッキ１の前身頃側の斜視図である。
【図２】安全チョッキ１の前身頃の左右前身頃を開いた状態を示す図である。
【図３】安全チョッキ１の後身頃を示す図である。
【図４】安全チョッキ１の収納部の縦断面図
【図５】安全チョッキ１を着用する際の説明図である。
【符号の説明】
【００１６】
１…安全チョッキ
２ａ、２ｂ、２ｃ…再帰反射ベルト
３…収納部
４…再帰反射ベルト
７…熱媒体
１０…メッシュ基材
【図１】
0003145435.tif 000003
【図２】
0003145435.tif 000004
【図３】
0003145435.tif 000005
【図４】
0003145435.tif 000006
【図５】
0003145435.tif 000007